(57)【要約】【課題】複数の点光源を並べた方向における照度分布の均一化をが容易にする。【解決手段】コンタクトガラス上に載置される原稿の原稿面に光を照射する光源部１９０を搭載し、原稿面に向けて光源部から光を照射しながらコンタクトガラスに沿って移動する第１キャリッジを備えた画像照明装置において、上記光源部を複数のＬＥＤ１０１ａで構成し、上記第１キャリッジには、複数のＬＥＤが照射した光から得られる複数の光を、その光軸が原稿の原稿面上で互いに一致するように原稿の原稿面における被照明領域で互いに重畳させる統合レンズ１０４が搭載されている。【選択図】図７
2008312155.tif 000002
【特許請求の範囲】
【請求項１】
透明平板部材上に載置される原稿の原稿面に光を照射する光源部を搭載し、該原稿面に向けて該光源部から光を照射しながら該透明平板部材に沿って移動する走行体と、
該走行体を透明平板部材に沿って移動させるための駆動手段とを備えた画像照明装置において、
上記光源部を複数の点光源で構成し、
上記走行体に、該複数の点光源が照射した光から得られる複数の光を、その光軸が上記原稿の原稿面上で互いに一致するように該原稿の原稿面における被照明領域で互いに重畳させる光重畳手段を有することを特徴とする画像照明装置。
【請求項２】
請求項１の画像照明装置において、
上記光重畳手段として、上記複数の光を入射する位置に配置される統合レンズを用いることを特徴とする画像照明装置。
【請求項３】
請求項１又は２の画像照明装置において、
上記各点光源から照射された光が上記原稿の原稿面に到達するまでの間の少なくとも１箇所で、該各点光源から照射された光を集光する集光手段を有することを特徴とする画像照明装置。
【請求項４】
請求項３の画像照明装置において、
上記集光手段は、リフレクターを含むことを特徴とする画像照明装置。
【請求項５】
請求項３の画像照明装置において、
上記集光手段は、集光レンズを含むことを特徴とする画像照明装置。
【請求項６】
請求項５の画像照明装置において、
上記集光レンズはガラスレンズであることを特徴とする画像照明装置。
【請求項７】
請求項１乃至６のいずれか１項に記載の画像照明装置において、
上記複数の点光源として、ＬＥＤ（Light Emitting Diode）を用いることを特徴とする画像照明装置。
【請求項８】
請求項１乃至７のいずれか１項に記載の画像照明装置において、
上記複数の点光源は、赤色光、緑色光及び青色光をそれぞれ照射する点光源で構成されていることを特徴とする画像照明装置。
【請求項９】
請求項８の画像照明装置において、
各色点光源の色ごとの個数は、各色点光源から照射される各色ごとの光量合計が互いに略均等となるように設定されていることを特徴とする画像照明装置。
【請求項１０】
請求項１乃至９のいずれか１項に記載の画像照明装置において、
上記各点光源から照射された光が上記原稿の原稿面に到達するまでの間に、少なくとも１つの照明光用ミラーを有することを特徴とする画像照明装置。
【請求項１１】
請求項１０の画像照明装置において、
上記走行体は、上記原稿の原稿面からの反射光の向きを変える反射光用ミラーを搭載しており、
上記少なくとも１つの照明光用ミラーとして該反射光用ミラーを共用したことを特徴とする画像照明装置。
【請求項１２】
請求項１乃至１１のいずれか１項に記載の画像照明装置において、
上記各点光源から照射された光が上記原稿の原稿面に到達するまでの間の光路の少なくとも一部と、上記原稿の原稿面からの反射光の光路の少なくとも一部との間に、遮光板を設けたことを特徴とする画像照明装置。
【請求項１３】
透明平板部材と、
該透明平板部材上に載置される原稿の原稿面に光を照射する画像照明装置と、
該原稿面からの反射光に基づいて該原稿の画像情報を読み取る画像情報読取手段とを備えた画像読取装置において、
上記画像照明装置として、請求項１乃至１２のいずれか１項に記載の画像照明装置を用いることを特徴とする画像読取装置。
【請求項１４】
原稿の画像情報を読み取る画像読取手段と、
該画像読取手段が読み取った画像情報に基づいて画像を形成する画像形成手段とを備えた画像形成装置において、
上記画像読取手段として、請求項１３の画像読取装置を用いることを特徴とする画像形成装置。
【発明の詳細な説明】
【技術分野】
【０００１】
本発明は、画像が記録された原稿を照明する画像照明装置、原稿からの反射光に基づいて原稿の画像情報を読み取る画像読取装置、及び、その画像読取装置を備えた複写機やファクシミリ等の画像形成装置に関するものである。
【背景技術】
【０００２】
従来、画像読取装置の画像照明装置において、その光源としてはキセノンランプが用いられているが、キセノンランプは消費電力が大きく発熱量も多いため、近年の省エネルギー化や画像読取装置の長寿命化等の要求に十分に応えることができない。そのため、キセノンランプよりも、消費電力が小さく発熱量が小さいＬＥＤ（Ｌｉｇｈｔ  Ｅｍｉｔｔｉｎｇ  Ｄｉｏｄｅ）を光源として用いた画像読取装置が提案されている。光源としてＬＥＤを用いた従来の画像読取装置では、例えば、特許文献１に記載の画像読取装置では、主走査方向に複数のＬＥＤ（点光源）を並べて配置したものを画像照明装置として用いるものが開示されている。また、この画像読取装置は、複数のＬＥＤで構成される光源部を、原稿が載置されるコンタクトガラス（透明平板部材）に沿って移動する走行体に搭載している。よって、原稿の原稿面に近接した位置から照明することができるので、光源部から照射された照明光に含まれる拡散光が被照明領域以外の箇所に漏れて、その光が反射光の光路に入り込んでしまう事態の発生が抑制される。
【０００３】
【特許文献１】特開２００４−３６１４２５号公報
【発明の開示】
【発明が解決しようとする課題】
【０００４】
上記特許文献１に記載の画像読取装置では、複数のＬＥＤ（点光源）の配列密度を調整することで、主走査方向における照度分布を均一化しようとしている。しかし、このような調整では、各点光源として同一の照度が必要となり、または各点光源の配列密度の高度な調整が必要となり、その調整に要求される条件が非常に厳しいので、実際に主走査方向における照度分布を均一化するのは非常に困難であるという問題があった。特に、上記特許文献１に記載の画像読取装置のように、複数のＬＥＤ（点光源）で構成される光源部を走行体に搭載して原稿の原稿面に近接した位置から照明する場合には、上述した調整はより困難となる。
なお、この問題は、複数の点光源を並べた方向における照度分布の均一化に関する問題であるため、主走査方向における照度分布の均一化に限定されるものではない。
【０００５】
本発明は、上記問題に鑑みなされたものであり、その目的とするところは、複数の点光源を並べた方向における照度分布の均一化が容易な画像照明装置、画像読取装置及び画像形成装置を提供することである。
【課題を解決するための手段】
【０００６】
上記目的を達成するために、請求項１の発明は、透明平板部材上に載置される原稿の原稿面に光を照射する光源部を搭載し、該原稿面に向けて該光源部から光を照射しながら該透明平板部材に沿って移動する走行体と、該走行体を透明平板部材に沿って移動させるための駆動手段とを備えた画像照明装置において、上記光源部を複数の点光源で構成し、上記走行体に、該複数の点光源が照射した光から得られる複数の光を、その光軸が上記原稿の原稿面上で互いに一致するように該原稿の原稿面における被照明領域で互いに重畳させる光重畳手段を有することを特徴とするものである。
また、請求項２の発明は、請求項１の画像照明装置において、上記光重畳手段として、上記複数の光を入射する位置に配置される統合レンズを用いることを特徴とするものである。
また、請求項３の発明は、請求項１又は２の画像照明装置において、上記各点光源から照射された光が上記原稿の原稿面に到達するまでの間の少なくとも１箇所で、該各点光源から照射された光を集光する集光手段を有することを特徴とするものである。
また、請求項４の発明は、請求項３の画像照明装置において、上記集光手段は、リフレクターを含むことを特徴とするものである。
また、請求項５の発明は、請求項３の画像照明装置において、上記集光手段は、集光レンズを含むことを特徴とするものである。
また、請求項６の発明は、請求項５の画像照明装置において、上記集光レンズはガラスレンズであることを特徴とするものである。
また、請求項７の発明は、請求項１乃至６のいずれか１項に記載の画像照明装置において、上記複数の点光源として、ＬＥＤ（LightEmittingDiode）を用いることを特徴とするものである。
また、請求項８の発明は、請求項１乃至７のいずれか１項に記載の画像照明装置において、上記複数の点光源は、赤色光、緑色光及び青色光をそれぞれ照射する点光源で構成されていることを特徴とするものである。
また、請求項９の発明は、請求項８の画像照明装置において、各色点光源の色ごとの個数は、各色点光源から照射される各色ごとの光量合計が互いに略均等となるように設定されていることを特徴とするものである。
また、請求項１０の発明は、請求項１乃至９のいずれか１項に記載の画像照明装置において、上記各点光源から照射された光が上記原稿の原稿面に到達するまでの間に、少なくとも１つの照明光用ミラーを有することを特徴とするものである。
また、請求項１１の発明は、請求項１０の画像照明装置において、上記走行体は、上記原稿の原稿面からの反射光の向きを変える反射光用ミラーを搭載しており、上記少なくとも１つの照明光用ミラーとして該反射光用ミラーを共用したことを特徴とするものである。
また、請求項１２の発明は、請求項１乃至１１のいずれか１項に記載の画像照明装置において、上記各点光源から照射された光が上記原稿の原稿面に到達するまでの間の光路の少なくとも一部と、上記原稿の原稿面からの反射光の光路の少なくとも一部との間に、遮光板を設けたことを特徴とするものである。
また、請求項１３の発明は、透明平板部材と、該透明平板部材上に載置される原稿の原稿面に光を照射する画像照明装置と、該原稿面からの反射光に基づいて該原稿の画像情報を読み取る画像情報読取手段とを備えた画像読取装置において、上記画像照明装置として、請求項１乃至１２のいずれか１項に記載の画像照明装置を用いることを特徴とするものである。
また、請求項１４の発明は、原稿の画像情報を読み取る画像読取手段と、該画像読取手段が読み取った画像情報に基づいて画像を形成する画像形成手段とを備えた画像形成装置において、上記画像読取手段として、請求項１３の画像読取装置を用いることを特徴とするものである。
【０００７】
本発明においては、複数の点光源で構成される光源部を、原稿が載置される透明平板部材に沿って移動する走行体に搭載しているので、原稿の原稿面における被照明領域に近接した位置から照明することができる。これにより、光源部から照射された照明光に含まれる拡散光が被照明領域以外の箇所に漏れて、その光が反射光の光路に入り込んでしまう事態の発生が抑制される。
また、本発明では、複数の点光源が照射した光から得られる複数の光が、その光軸が原稿面上で互いに一致するように、原稿の原稿面における被照明領域で互いに重畳することになる。これにより、本発明によれば、各点光源の照度にバラツキがあっても、照度分布の均一化に影響することはない。また、各点光源の配置精度も、複数の点光源の配列密度を調整することで照度分布を均一化する場合ほどの高い配置精度は要求されない。すなわち、各点光源の配置精度がそれほど高くなくても、点光源の並び方向における照度分布の均一化を図ることができる。
【発明の効果】
【０００８】
以上、本発明によれば、複数の点光源を並べた方向における照度分布の均一化が容易となるという優れた効果が奏される。
【発明を実施するための最良の形態】
【０００９】
以下、本発明を、電子写真方式の画像形成装置である複写機に適用した一実施形態について説明する。
まず、本実施形態に係る複写機の基本的な構成について説明する。
図１は、本複写機を示す概略構成図である。
この複写機は、画像形成部１と、白紙供給装置４０と、原稿搬送読取ユニット５０とを備えている。原稿搬送読取ユニット５０は、画像形成部１の上に固定された画像読取装置としてのスキャナ部１５０と、これに支持される原稿搬送装置としてのＡＤＦ５１とから構成される。
【００１０】
白紙供給装置４０は、ペーパーバンク４１内に多段に配設された２つの給紙カセット４２、給紙カセット４２から記録材としての記録紙を送り出す送出ローラ４３、送り出された記録紙を分離して給紙路４４に供給する分離ローラ４５等を有している。また、複写機の給紙路３７に記録紙を搬送する複数の搬送ローラ４６等も有している。そして、給紙カセット４２内の記録紙を複写機内の給紙路３７内に給紙する。
【００１１】
複写機は、光書込装置２や、Ｋ（黒）色、Ｙ（イエロー）色、Ｍ（マゼンタ）色、Ｃ（シアン）色のトナー像を形成する４つのプロセスユニット３Ｋ，３Ｙ，３Ｍ，３Ｃ、転写ユニット２４、紙搬送ユニット２８、レジストローラ対３３、定着装置３４、スイッチバック装置３６、給紙路３７等を備えている。そして、光書込装置２内に配設された図示しないレーザーダイオードやＬＥＤ等の光源を駆動して、プロセスユニット３Ｋ，３Ｙ，３Ｍ，３Ｃの感光体４Ｋ，４Ｙ，４Ｍ，４Ｃに向けてレーザー光Ｌを照射する。この照射により、ドラム状の感光体４Ｋ，４Ｙ，４Ｍ，４Ｃの表面には静電潜像が形成され、この潜像は所定の現像プロセスを経由してトナー像に現像される。なお、符号の後に付されたＫ、Ｙ、Ｍ、Ｃという添字は、黒、イエロー、マゼンタ、シアン用のものであることを示している。
【００１２】
図２は、複写機の内部構成の一部を拡大して示す部分拡大構成図である。
同図において、プロセスユニット３Ｋ，３Ｙ，３Ｍ，３Ｃは、それぞれ、感光体とその周囲に配設される各種装置とを１つのユニットとして共通の支持体に支持するものであり、複写機本体に対して着脱可能になっている。ブラック用のプロセスユニット３Ｋを例にすると、これは、感光体４Ｋの他、これの表面に形成された静電潜像をブラックトナー像に現像するための現像装置６Ｋを有している。また、後述するＫ用の１次転写ニップを通過した後の感光体４Ｋ表面に付着している転写残トナーをクリーニングするドラムクリーニング装置１５Ｋなども有している。本複写機では、４つのプロセスユニット３Ｋ，３Ｙ，３Ｍ，３Ｃを、後述する中間転写ベルト２５に対してその無端移動方向に沿って並べるように対向配設したいわゆるタンデム型の構成になっている。
【００１３】
図３は、４つのプロセスユニット３Ｋ，３Ｙ，３Ｍ，３Ｃからなるタンデム部の一部を示す部分拡大図である。
４つのプロセスユニット３Ｋ，３Ｙ，３Ｍ，３Ｃは、それぞれ使用するトナーの色が異なる他は同様の構成になっているので、同図においては各符号に付すＫ、Ｙ、Ｍ、Ｃという添字を省略している。同図に示すように、プロセスユニット３は、感光体４の周りに、帯電装置２３、現像装置６、ドラムクリーニング装置１５、除電ランプ２１等を有している。
【００１４】
感光体４としては、アルミニウム等の素管に、感光性を有する有機感光材の塗布による感光層を形成したドラム状のものを用いている。但し、無端ベルト状のものを用いても良い。
【００１５】
現像装置６は、図示しない磁性キャリアと非磁性トナーとを含有する二成分現像剤を用いて潜像を現像するようになっている。そして、内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサ１０などを有している。現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、スリーブの回転方向に沿って並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１２表面に引き寄せて担持させるとともに、スリーブ表面上で磁力線に沿った磁気ブラシを形成する。
【００１６】
この磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサ１０による検知結果に基づいて、二成分現像剤に適量のトナーが補給される。なお、現像装置６として、二成分現像剤を用いるものの代わりに、磁性キャリアを含まない一成分現像剤を用いるものを採用してもよい。
【００１７】
ドラムクリーニング装置１５としては、ポリウレタンゴム製のクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置に受け渡す。リサイクル搬送装置は、受け渡されたトナーを現像装置６に送ってリサイクルする。
【００１８】
除電ランプ２１は、光照射によって感光体４を除電する。除電された感光体４の表面は、帯電装置５によって一様に帯電せしめられた後、光書込装置２による光書込処理がなされる。なお、帯電装置５としては、帯電バイアスが印加される帯電ローラを感光体４に当接させながら回転させるものを用いている。感光体４に対して非接触で帯電処理を行うスコロトロンチャージャ等を用いてもよい。
【００１９】
先に示した図２において、４つのプロセスユニット３Ｋ，３Ｙ，３Ｍ，３Ｃの感光体４Ｋ，４Ｙ，４Ｍ，４Ｃには、これまで説明してきたプロセスによってＫ色、Ｙ色、Ｍ色、Ｃ色のトナー像が形成される。
【００２０】
４つのプロセスユニット３Ｋ，３Ｙ，３Ｍ，３Ｃの下方には、転写ユニット２４が配設されている。この転写ユニット２４は、複数のローラによって張架した中間転写ベルト２５を、感光体４Ｋ，４Ｙ，４Ｍ，４Ｃに当接させながら図中時計回り方向に無端移動させる。これにより、感光体４Ｋ，４Ｙ，４Ｍ，４Ｃと中間転写ベルト２５とが当接するＫ、Ｙ、Ｍ、Ｃ用の１次転写ニップが形成されている。Ｋ、Ｙ、Ｍ、Ｃ用の１次転写ニップの近傍では、ベルトループ内側に配設された１次転写ローラ２６Ｋ，２６Ｙ，２６Ｍ，２６Ｃによって中間転写ベルト２５を感光体４Ｋ，４Ｙ，４Ｍ，４Ｃに向けて押圧している。これら１次転写ローラ２６Ｋ，２６Ｙ，２６Ｍ，２６Ｃには、それぞれ図示しない電源によって１次転写バイアスが印加されている。これにより、Ｋ、Ｙ、Ｍ、Ｃ用の１次転写ニップには、感光体４Ｋ，４Ｙ，４Ｍ，４Ｃ上のトナー像を中間転写ベルト２５に向けて静電移動させる１次転写電界が形成されている。図中時計回り方向の無端移動に伴ってＫ、Ｙ、Ｍ、Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像（以下「４色トナー像」という。）が形成される。
【００２１】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００２２】
この２次転写ニップの図中右側方には、レジストローラ対３３が配設されており、ローラ間に挟み込んだ記録紙を中間転写ベルト２５上の４色トナー像に同期させ得るタイミングで２次転写ニップに送り出す。２次転写ニップ内では、中間転写ベルト２５上の４色トナー像が２次転写電界やニップ圧の影響によって記録紙に一括２次転写され、記録紙の白色と相まってフルカラー画像となる。２次転写ニップを通過した記録紙は、中間転写ベルト２５から離間して、紙搬送ベルト２９のおもて面に保持されながら、その無端移動に伴って定着装置３４へと搬送される。
【００２３】
２次転写ニップを通過した中間転写ベルト２５の表面には、２次転写ニップで記録紙に転写されなかった転写残トナーが付着している。この転写残トナーは、中間転写ベルト２５に当接するベルトクリーニング装置によって掻き取り除去される。
【００２４】
定着装置３４に搬送された記録紙は、定着装置３４内における加圧や加熱によってフルカラー画像が定着させしめられた後、定着装置３４から排紙ローラ対３５に送られた後、機外へと排出される。
【００２５】
先に示した図１において、紙搬送ユニット２２および定着装置３４の下には、スイッチバック装置３６が配設されている。これにより、片面に対する画像定着処理を終えた記録紙が、切換爪で記録紙の進路を記録紙反転装置側に切り換えられ、そこで反転されて再び２次転写転写ニップに進入する。そして、もう片面にも画像の２次転写処理と定着処理とが施された後、排紙トレイ上に排紙される。
【００２６】
複写機の上に固定されたスキャナ部１５０は、図１に示すように、固定読取部１５１と、移動読取部１５２とを有している。光源、反射ミラー、ＣＣＤなどを有する固定読取部１５１は、原稿ＭＳに接触するようにスキャナ部１５０のケーシング上壁に固定された図示しない第１コンタクトガラスの直下に配設されている。そして、ＡＤＦ５１によって搬送される原稿ＭＳが第１コンタクトガラス上を通過する際に、光源から発した光を原稿面で順次反射させながら、複数の反射ミラーを経由させて撮像手段としてのＣＣＤ２２１で受光する。これにより、光源や反射ミラー等からなる光学系を移動させることなく、原稿ＭＳを読み取る。なお、以下、ＡＤＦ５１による原稿搬送を行いながら固定読取部１５１によって原稿ＭＳの画像を読み取る制御を、スルー読取制御という。
【００２７】
一方、移動読取部１５２は、原稿ＭＳに接触するようにスキャナ部１５０のケーシング上壁に固定された図示しない第２コンタクトガラスの直下であって、固定読取部１５１の図中右側方に配設されており、光源や、反射ミラーなどからなる移動光学系を図中左右方向に移動させることができる。そして、移動光学系を図中左側から右側に移動させていく過程で、光源から発した光を第２コンタクトガラス上に載置された図示しない原稿ＭＳで反射させる。この反射によって得られた光学像は、複数の反射ミラーと、スキャナ部本体に固定された結像レンズとを経由した後、撮像手段としてのＣＣＤ２２１によって読み取られる。このように、移動読取部１５２は、移動光学系を移動させながら、第２コンタクトガラス上で静止している原稿ＭＳの画像を読み取る。
【００２８】
スキャナ部１５０の上に配設されたＡＤＦ５１は、本体カバー５２に、読取前の原稿ＭＳを載置するための原稿載置台５３、原稿ＭＳを搬送するための搬送ユニット５４、読取後の原稿ＭＳをスタックするための原稿スタック台５５などを保持している。図４に示すように、スキャナ部１５０に固定された蝶番１５９によって上下方向に揺動可能に支持されている。そして、その揺動によって開閉扉のような動きをとり、開かれた状態でスキャナ部１５０の上面の第１コンタクトガラス１５４や第２コンタクトガラス１５５を露出させる。原稿束の片隅を綴じた本などの片綴じ原稿の場合には、原稿ＭＳを１枚ずつ分離することができないため、ＡＤＦ５１による搬送を行うことができない。そこで、片綴じ原稿の場合には、ＡＤＦ５１を図４に示すように開いた後、読み取らせたいページが見開かれた片綴じ原稿を下向きにして第２コンタクトガラス１５５上に載せた後、ＡＤＦ５１を閉じる。そして、図１に示したスキャナ部１５０の移動読取部１５２によってそのページの画像を読み取らせる。
【００２９】
一方、互いに独立した複数の原稿ＭＳを単に積み重ねた原稿束の場合には、その原稿ＭＳをＡＤＦ５１によって１枚ずつ自動搬送しながら、スキャナ部１５０の固定読取部１５１に順次読み取らせていくことができる。この場合、原稿束を原稿載置台５３上にセットした後、操作部１４０のコピースタートボタンを押す。すると、ＡＤＦ５１が、原稿載置台５３上に載置された原稿束の原稿ＭＳを上から順に搬送ユニット５４内に送り、それを反転させながら原稿スタック台５５に向けて搬送する。この搬送の過程で、原稿ＭＳを反転させた直後にスキャナ部１５０の固定読取部１５１の真上に通す。このとき、原稿ＭＳの画像がスキャナ部１５０の固定読取部１５１によって読み取られる。
【００３０】
次に、スキャナ部１５０のうち、移動読取部について、図５、図６を用いて説明する。
図５は、スキャナ部１５０の移動読取部（図１の符号１５２）を斜め上方から示した斜視図である。なお、便宜上、上述の第２コンタクトガラス１５５の図示を省略している。
図６は、スキャナ部１５０の移動読取部をその側方から示す拡大構成図である。
図に示すように、スキャナ部１５０の筐体１６０内には、画像照明装置を構成する走行体としての第１キャリッジ１６２、第２キャリッジ１６３が設けられている。第１キャリッジ１６２は、複数の発光素子たる発光ダイオード（以下「ＬＥＤ」という。）４０１がアレイ状に配列された光源部１９０と、第１照明光用ミラー１６２ａと、第２照明光用ミラー１６２ｂと、第１反射光用ミラー１６２ｃとを備えている。なお、第１キャリッジ１６２の詳細については、後述する。第２キャリッジ１６３は、第２反射光用ミラー１６３ａと、第３反射光用ミラー１６３ｂとを備えている。
【００３１】
スキャナ部１５０の筐体１６０内には、図示しないが、その長手方向に延在する２本の金属製の第１レールが短手方向に所定の間隔をあけて固定されており、２本の第１レールの間に、第１キャリッジ１６２が架け渡されており、第１レール上でその長手方向に沿って走行できるようになっている。これら第１レールよりも鉛直方向の下方には、筐体長手方向に延在する図示しない２本の金属製の第２レールが筐体短手方向に所定の間隔をあけて固定されている。図示しない２本の第２レールの間には、第２キャリッジ１６３が架け渡されており、第２レール上でその長手方向に沿って走行できるようになっている。また、筐体１６０には、金属製の梁板１６４が固定されており、金属製の梁板１６４には、その上面にネジ固定された結像レンズ２００を備えたレンズユニット２１０や、これに固定されたＣＣＤ２２１を備えた電子回路基板たるスキャナ部ボードユニット（以下「ＳＢＵ」という。）２２０を支持している。
【００３２】
図５に示すように、図中右上には、駆動モータ１７０が設けられており、駆動モータ１７０の駆動ギヤと噛み合う従動ギヤ１７１の回転軸には、駆動タイミングプーリ１７２が固定されている。また、図中右側の筐体内の長手方向一端部には、回転軸１７３が回転可能に支持されている。回転軸１７３の一端部には、従動タイミングプーリ１７４が固定され、駆動タイミングプーリ１７２と従動タイミングプーリ１７４とに駆動タイミングベルト１７５が張架されている。また、回転軸１７３の両端部付近には、第１プーリ１８０が固定されている。そして、図中左側の筐体内の長手方向他端部の短手方向に所定の間隔を開けて２個の第２プーリ１８１が回転可能に支持されており、第１プーリ１８０と第２プーリ１８１とに第１タイミングベルト１８２が張架されている。
【００３３】
第２キャリッジ１６３は、第２反射光用ミラー１６３ａ、第３反射光用ミラー１６３ｂの主走査方向両端を支持する一対のミラーステー部１６３ｃと、このミラーステー部１６３ｃからそれぞれ第１キャリッジ側に延びるアーム部１６３ｄとを有している。また、ミラーステー部１６３ｃの筐体側面側には、第３プーリ１８３が回転可能に支持されている。また、アーム部１６３ｄの先端にはブラケット１６３ｅが設けられており、このブラケット１６３ｅに第４プーリ１８４が回転可能に支持されている。第３プーリ１８３、第４プーリ１８４には、第２タイミングベルト１８５が張架されており、この第２タイミングベルト１８５の一部は、図示しない固定部材によって筐体１６０の底部に固定されている。
【００３４】
また、第１タイミングベルト１８２、第２タイミングベルト１８５は、第１キャリッジ１６２の底部にそれぞれ固定されている。
【００３５】
画像読取がスタートすると、光源部１９０によって図示しない原稿ＭＳに対して光を照射する。また、駆動モータ１７０が駆動して、駆動モータ１７０の回転駆動力が、駆動タイミングベルト１７５を介して回転軸１７３に伝達され、回転軸１７３が回転する。回転軸１７３が回転することで、第１タイミングベルト１８２が図中時計回りに回転する。これにより、第１タイミングベルト１８２に固定されている第１キャリッジ１６２が図中左側から右側へ移動する。また、第１キャリッジ１６２が移動すると、第１キャリッジ１６２に固定された第２タイミングベルト１８５が、図中右側へ移動する。第２タイミングベルト１８５の一部は、筐体１６０の底部に固定されているため、第２タイミングベルト１８５は、その場で回転するのではなく、第２キャリッジ１６３の図中右側への移動を伴いながら回転する。ここで、第３、第４プーリ１８３、１８４の径は、第１、第２プーリの径の２倍となっているため、第２キャリッジ１６３は、第１キャリッジ１６２の１／２の速度で、図中右側へ移動する。このように、第２キャリッジ１６３は、第１キャリッジ１６２の半分の速度で第１キャリッジと同方向へ移動することで、原稿面から結像レンズ２００までの光束の光路長が変化しないようになっている。
【００３６】
駆動モータ１７０を制御する制御部は、ホストコンピュータから送られてくる１ライン毎の画像読取要求信号に応じて駆動モータ１７０を制御して、第２キャリッジ１６３と第１キャリッジ１６２との移動速度を制御している。
【００３７】
第１、第２キャリッジ１６２，１６３を図中左側から右側に２：１の速度比で移動させていく過程で、光源部１９０から発した光を第２コンタクトガラス１５５上に載置された図示しない原稿ＭＳで反射させる。この反射によって得られた光学像は、第１反射光用ミラー１６２ｃ、第２反射光用ミラー１６３ａ、第３反射光用ミラー１６３ｂを介して、結像レンズ２００に導かれ、ＣＣＤ２２１上に結像される。
【００３８】
ＣＣＤ２２１は、結像された原稿ＭＳの反射光像を光電変換して読取画像であるアナログ画像信号を出力する。そして、第１、第２キャリッジ１６２，１６３が図６の点線に示す位置まで移動したら、原稿ＭＳの読み取りを終了し、第１キャリッジ１６２と第２キャリッジ１６３は図中実線で示すホームポジション位置に復動する。なお、ＣＣＤ２２１から出力されたアナログ画像信号は、アナログ／デジタル変換器によりデジタル画像信号に変換され、画像処理回路を搭載した回路基板において、各々の画像処理（２値化、多値化、階調処理、変倍処理、編集処理など）が施される。
【００３９】
次に、本実施形態の特徴部分である画像照明装置としての読取モジュールに搭載されている第１キャリッジ１６２上の光源部１９０の構成について説明する。
図７（ａ）は、光源部１９０を副走査方向から見たときの説明図であり、図７（ｂ）は、光源部１９０を主走査方向から見たときの説明図である。
光源部１９０は、主走査方向に直線上に並べた複数の光源１０１を備え、各光源１０１から発する照明光の照射方向に、集光手段としての集光レンズ１０２、照明レンズ１０３及び光重畳手段としての統合レンズ１０４を備える。なお、図７（ａ）に示すように、統合レンズ１０４から照明対象面である原稿面Ｆまでの距離をａとし、照明レンズ１０３から統合レンズ１０４までの距離をｂとし、集光レンズ１０２から照明レンズ１０３までの距離をｃとし，光源１０１から集光レンズ１０２までの距離をｄとする。
【００４０】
本実施形態において、各光源１０１は、それぞれ、点光源であるＬＥＤ１０１ａと回転放物面鏡１０１ｂとから構成されている。ＬＥＤ１０１ａは、回転放物面鏡１０１ｂの焦点位置に配置されている。これにより、ＬＥＤ１０１ａが発する照明光を回転放物面鏡１０１ｂが反射することで、光源１０１から発する照明光が指向性のある平行光として照射される。ただし、ＬＥＤ１０１ａの発光面は完全に点ではなく、ある面積をもっているので、回転放物面鏡１０１ｂの焦点位置からズレた位置から照射される光は平行光から外れて発散する。
【００４１】
集光レンズ１０２は、平行光だけでなく発散光を含む照明光を効率良く照明レンズ１０３に入射させるためのレンズである。その形状は、図８（ａ）に示すような形状のシリンダレンズアレイであり、複数のシリンダレンズを並べたものである。集光レンズ１０２は、複数の集束レンズである集光シリンダレンズ１０２ａを主走査方向に直線上に配置している。そして、照明光が入射すると、各集光シリンダレンズ１０２ａのそれぞれの焦点に集束させることによって、照明光を主走査方向に分割してシリンダの数と同数の分割光となる。各分割光は、それぞれ照明レンズ１０３に入射する。集光シリンダレンズ１０２ａの焦点距離は、集光レンズ１０２から照明レンズ１０３までの距離である。すなわち、集光シリンダレンズ１０２ａの焦点距離をｆ１とすると、ｆ１＝ｃとなる。
【００４２】
照明レンズ１０３は、集光レンズ１０２によって集束されたそれぞれの分割光を主走査方向に発散させて、原稿面Ｆを照明するシリンダアレイレンズである。その形状は、集光レンズ１０２と同様に、図８（ａ）に示すような形状のシリンダレンズアレイであり、複数のシリンダレンズを並べたものである。照明レンズ１０３は、集光シリンダレンズ１０２ａと同数の照明シリンダレンズ１０３ａを主走査方向に直線上に配置し、集光シリンダレンズ１０２ａによって分割された分割光を各照明シリンダレンズ１０３ａで発散させて原稿面Ｆを照明する。集光シリンダレンズ１０２ａの焦点距離をｆ２とすると、概略ｆ２＝１／(１／(ａ＋ｂ)＋１／ｃ)としている。
【００４３】
なお、ｆ１＝ｆ２とすることは設計上可能であり、そうすることにより集光レンズ１０２と照明レンズ１０３とは同じ規格の部材として用いることができる。集光レンズ１０２と照明レンズ１０３とを同じものとすれば、製造・販売・サービス時など管理負担が軽減される。
【００４４】
統合レンズ１０４は、集光レンズ１０２と照明レンズ１０３とによって分割された複数の分割光を原稿面Ｆで互いに重ね合わせるためのレンズである。詳しくは、その受光面のどの位置から光が入射しても、入射した光の光軸が原稿面Ｆの所定の位置に向かうように光を屈折させるレンズであり、この統合レンズ１０４は、各照明シリンダレンズ１０３ａを通過したほぼすべての分割光がその受光面に入射するように配置される。上述した原稿面Ｆの所定の位置は、光源部１９０が発する照明光全体の光軸（以下「主光軸」という。）Ｌｍが原稿面Ｆと交わる位置である。
統合レンズ１０４の焦点距離をｆ０とすると、ｆ０＝ａとする。この設定により、集光レンズ１０２と照明レンズ１０３とによって分割された各分割光の光軸（以下「副光軸」という。）Ｌｓと原稿面Ｆとの交点を原稿面Ｆと主光軸Ｌｍとの交点に合わせることができる。これにより、すべての分割光を原稿面Ｆで互いに重ねあわせることができる。
このように、統合レンズ１０４は、複数の分割光を原稿面Ｆ上で重畳させる光重畳手段としての機能する。
【００４５】
また、副走査方向から見たときの統合レンズ１０４の形状は、主光軸Ｌｍを軸対象とした一般的なレンズの形状である。また、図７（ｂ）に示すように、統合レンズ１０４は、照明光の副走査方向両端がカットされた形状となっている。すなわち、統合レンズ１０４の形状は一般の円形凸レンズの副走査方向両端の不用な部分をカットしたものである。
なお、本実施形態のスキャナ部１５０では、照明光の光路は、図６に示すように、統合レンズ１０４からの出射光までは原稿面の法線方向とほぼ平行な方向であるが、反射ミラー１０６、第１照明光用ミラー１６２ａ及び第２照明光用ミラー１６２ｂに反射することで、最終的には原稿面の法線方向から僅かに傾斜した方向となる。
【００４６】
集光シリンダレンズ１０２ａの主走査方向長さをｍ１とし、原稿面Ｆ上における照明光の主走査方向長さをｍ０とすると、ｍ１／ｍ０＝ｃ／ａとなる。なお、実際には、ｍ１／ｍ０＝ｃ／ａの関係を決めてからｆ０及びｆ１を設定する。このように設定すると、集光シリンダレンズ１０２ａの主走査方向長さｍ１の像が原稿面Ｆ上でｍ０の大きさに投影され、主走査方向長さがｍ１である分割光を原稿面Ｆの主走査方向全体に照射することができる。
【００４７】
ここで、光源１０１の数と、集光シリンダレンズ１０２ａの数を不一致とすることが望ましい。このように構成することにより、ＬＥＤ１０１ａと回転放物面鏡１０１ｂとで形成されるプロファイルの影響を軽減し、原稿面における照度のバラツキを抑制することができる。なお、光源１０１の数の２倍を超える集光シリンダレンズ１０２ａの数とする場合には、整数倍でも構わない。
【００４８】
本実施形態では、主走査方向に互いに異なる色の照明光を発する光源１０１を配置している。具体的には、Ｒ（赤）、Ｇ（緑）、Ｂ（青）の３色のＬＥＤ１０１ａを使用する。このとき、光源としては最低限各色１個ずつ合計３個あればよく、その整数倍でも、カラーバランスを考慮して発光光量の少ない色の光源のみを増加させてもよい。一般に、各色ＬＥＤ１個あたりの光量の大小関係は、Ｒ（赤）≦Ｂ（青）≦Ｇ（緑）であるので、本実施形態では、Ｒ（赤）のＬＥＤを１個、Ｇ（緑）のＬＥＤを２個、Ｂ（青）のＬＥＤを１個を使用してカラーバランスを調整している。
【００４９】
次に、図７（ｂ）を用いて、副走査方向についての照明光の状態について説明する。
副走査方向についての照明光の状態は、ＬＥＤ１０１ａで発光し、回転放物面鏡１０１ｂを出るところまでは、図７（ａ）に示した状態と同様である。すなわち、光源１０１が発した照明光は平行光とされる。集光レンズ１０２及び照明レンズ１０３は、光軸に対して平行な方向から見ると、副走査方向については主光軸Ｌｍに対して直交するように配置される平板レンズでしかないので、集光レンズ１０２及び照明レンズ１０３を入射した照明光は、平行光のまま通過する。一方、統合レンズ１０４の焦点距離ｆ０＝ａであるので、平行光のまま統合レンズ１０４に入射した照明光は、図７（ｂ）に示すように、原稿面Ｆ上で焦点を結ぶように集束される。
【００５０】
以上より、本実施形態によれば、点光源であるＬＥＤ１０１ａから発した照明光は、原稿面Ｆ上において主走査方向に延びる直線状に無駄なく集められ、照度ムラも少なく高品質の照明を行うことができる。しかも、Ｒ（赤）、Ｇ（緑）、Ｂ（青）の３色の光を原稿面上で重畳させるので、色ムラのない高品質の照明を行うことができる。
また、本実施形態では、反射ミラー１０６、第１照明光用ミラー１６２ａ及び第２照明光用ミラー１６２ｂを配置して照射光の光路を折り返すことで、第１キャリッジ１６２の小型化を図っている。折り返し用のミラーはいくつ配置してもよいが、光量が落ちぬようになるべく少ない方が望ましい。
なお、上述したように、点光源であるＬＥＤ１０１ａは、完全に点ではないので、回転放物面鏡１０１ｂ内から照射される照明光は発散光も含んでいるが、本実施形態では、その発散光も統合レンズ１０４により原稿面上に集光される。
【００５１】
〔変形例１〕
次に、光源部１９０の変形例（以下、本変形例を「変形例１」という。）について説明する。
図９は、本変形例１における第１キャリッジ１６２をその側方から示す拡大構成図である。
図７（ｃ）は、本変形例１の光源部１９０を主走査方向から見たときの説明図である。
【００５２】
本変形例１に係る構成は、上記実施形態の構成に比べて、より効率良く照明光を原稿面に照射することができるものである。具体的に説明すると、本変形例１の光源部１９０では、統合レンズ２０４がシリンダレンズに変更されている。主走査方向については上記実施形態の統合レンズ１０４と同じ焦点距離となるように、同じ曲率を持たせている。一方、副走査方向についてはストレートとしている。そして、本変形例１では、統合レンズ２０４から出た照明光を、その副走査方向について集束させるための集光手段としての副走査方向集束レンズ１０５が設けられている。副走査方向集束レンズ１０５は、副走査方向の集光機能を図７（ｂ）の統合レンズ１０４から分離して原稿面Ｆの近く置いたものであり、シリンダレンズで構成されている。副走査方向集束レンズ１０５と原稿面Ｆとの距離をa'、副走査方向集束レンズ１０５の焦点距離をｆ４としたときに、ｆ４＝a'となるように配置する。なお、副走査方向集束レンズ１０５は、図８（ｂ）に示すような形状となっている。
【００５３】
本変形例１によれば、回転放物面鏡１０１ｂから出た照明光は副走査方向集束レンズ１０５までほぼ平行光（発散光も含まれるが）のままで到達する。よって、ＬＥＤ１０１ａの像の拡大率はa'／ｆ３となり、数倍程度に抑えられる。これにより、照明光の効率が向上する。
【００５４】
〔変形例２〕
次に、光源部１９０の変形例（以下、本変形例を「変形例２」という。）について説明する。
図１０は、本変形例２における第１キャリッジ１６２をその側方から示す拡大構成図である。
本変形例２の光源部１９０は、上記変形例１の構成と同様の統合レンズ２０４としてシリンダレンズである。したがって、副走査方向については、光源１０１から照射された平行光は統合レンズ２０４を出ても平行光のままである。上記変形例１では、副走査方向集束レンズ１０５を設けることでこの平行光を副走査方向について集束させている。本変形例２では、反射ミラー１０６に代えて凹面鏡で構成されるリフレクタ２０６を設け、これを、副走査方向集束レンズ１０５に代えて、平行光を副走査方向について集束させる集光手段として用いる。
【００５５】
また、本変形例２では、光源１０１から照射された副走査方向に拡散する拡散光が反射光の光路に進入しないように、遮光板１９１が設けられている。この遮光板１９１は、光源１０１から照射された光が原稿ＭＳの原稿面Ｆに到達するまでの間の光路の少なくとも一部と、原稿ＭＳの原稿面Ｆからの反射光の光路の少なくとも一部との間に、配置される。本変形例２では、図１０に示すように、リフレクタ２０６で反射した照明光に含まれる拡散光が第１照明光用ミラー１６２ａから外れて反射光の光路に入り込むのを防ぐ位置に遮光板１９１を配置している。
なお、このような遮光板は、上述した実施形態や変形例１の構成にも当然適用できる。
【００５６】
また、上述した実施形態や変形例１では、第１照明光用ミラー１６２ａで反射した照明光を最終的に原稿ＭＳの原稿面Ｆに向けて案内するための第２照明光用ミラー１６２ｂと、原稿ＭＳの原稿面Ｆで反射した反射光を第２キャリッジ１６３の第２反射光用ミラー１６３ａへ案内するための第１反射光用ミラー１６２ｃとが、別個のミラーで構成されている。本変形例２では、これらのミラー１６２ｂ，１６２ｃに代えて、単一のミラー１６２ｄを用いる。このようにミラーを共通化することで、低コスト化を図ることができる。
【００５７】
以上、本実施形態における画像照明装置は、透明平板部材である第２コンタクトガラス１５５上に載置される原稿ＭＳの原稿面に光を照射する光源部１９０を搭載し、その原稿面に向けて光源部１９０から光を照射しながら第２コンタクトガラス１５５に沿って移動する走行体としての第１キャリッジ１６２と、第１キャリッジ１６２を第２コンタクトガラス１５５に沿って移動させるための駆動手段としての駆動モータ１７０等とを備えており、その光源部１９０は、複数の点光源としての光源１０１（ＬＥＤ１０１ａ及び回転放物面鏡１０１ｂ）で構成されている。このように光源部１９０を第１キャリッジ１６２に搭載しているので、原稿ＭＳの原稿面Ｆに近接した位置から照明することができる。これにより、光源部１９０から照射された照明光に含まれる拡散光が被照明領域以外の箇所に漏れて、その光が反射光の光路に入り込んでしまう事態の発生が抑制される。また、第１キャリッジ１６２には、複数の光源１０１が照射した光から得られる複数の光を、その光軸が原稿面Ｆ上で互いに一致するように、原稿ＭＳの原稿面Ｆにおける被照明領域で互いに重畳させる光重畳手段としての統合レンズ１０４，２０４が搭載されている。これにより、各光源１０１の照度にバラツキがあっても、主走査方向における照度分布の均一化に影響することはない。また、各光源１０１の配置精度も、複数の点光源の配列密度を調整することで照度分布を均一化する場合ほどの高い配置精度は要求されない。複数の光源１０１を並べた方向（主走査方向）における照度分布の均一化が容易となる。
また、本実施形態では、上述した光重畳手段として統合レンズを用いている。複数のＬＥＤを円弧状に配置しても光を重畳することは可能であるが、統合レンズを使用することで、複数の光源１０１を直線状に配置しても光を重畳することができる。複数の光源１０１を直線状に配置する場合には、円弧状に配置する場合に比べて光源の位置の精度を出しやすいので、複数の光を効率良く重畳させることが可能となる。
また、本実施形態では、各光源１０１から照射された光が原稿ＭＳの原稿面Ｆに到達するまでの間の少なくとも１箇所で、各光源１０１から照射された光を集光する集光手段としての集光レンズ１０２、副走査方向集束レンズ１０５、リフレクター２０６を設けている。これにより、照明光に含まれる拡散光の少なくとも一部を原稿ＭＳの原稿面Ｆに案内することが可能となるので、照明効率の向上を図ることができる。特に、安価なリフレクター２０６を用いる場合には、低コスト化を図ることができる。また、一般にリフレクターに比べて硬い集光レンズを用いる場合には、組み付け時に変形がしにくく、組み付けが容易である。特に、その集光レンズとしてガラスレンズを用いれば、プラスチック性のレンズに比べて光量が落ちにくくなる。
また、本実施形態では、複数の光源１０１を構成する点光源として、ＬＥＤ（Light Emitting Diode）を用いているので、光源１０１の長寿命化、高効率化、高耐Ｇ性化を図りやすい。
また、本実施形態における複数の光源１０１は、赤色光、緑色光及び青色光をそれぞれ照射する光源で構成されている。カラー画像読取時には、白色光を原稿面Ｆに照射する必要があるが、一般に、赤色光、緑色光及び青色光を照射する光源は、白色光を照射する光源に比べて安価である。よって、本実施形態によれば、カラー画像読取用の画像照明装置の低コスト化を図ることができる。しかも、このように赤色、緑色及び青色を混色させて白色の光を得る場合、各色光源からの光を均一に重畳させないと色ムラが生じ、適正なカラー画像の読み取りができなくなる。本実施形態では、上述した光重畳手段としての統合レンズ１０４，２０４で各色光を原稿面Ｆ上で重畳させるので、原稿面Ｆ上で各色光源からの光を均一に重畳させることができ、色ムラのない照明光で原稿面Ｆを照明することが可能である。特に、本実施形態では、各色光源１０１の色ごとの個数が、各色光源１０１から照射される各色ごとの光量合計が互いに略均等となるように設定されているので、色バランスの良いカラー画像を読み取ることが可能となる。
また、本実施形態では、各光源１０１から照射された光が原稿ＭＳの原稿面Ｆに到達するまでの間に、少なくとも１つの照明光用ミラーとしての反射ミラー１０６又はリフレクター２０６、第１照明光用ミラー１６２ａ及び第２照明光用ミラー１６２ｂが設けられているので、照明光の光路を適宜折り返して照明光の光路を狭い領域内に収めることができる。よって、第１キャリッジ１６２の小型化を図ることができ、画像照明装置の小型化を図ることができる。特に、上記変形例２で説明したように、第１キャリッジ１６２が、原稿ＭＳの原稿面Ｆからの反射光の向きを変える反射光用ミラーとしての第１反射光用ミラー１６２ｃを搭載している場合、第２照明光用ミラー１６２ｂ及び第１反射光用ミラー１６２ｃとして、単一のミラー１６２ｄを用いてもよい。このようにミラーを共通化することで、低コスト化を図ることができる。
また、上記変形例２で説明したように、本実施形態においては、各光源１０１から照射された光が原稿ＭＳの原稿面Ｆに到達するまでの間の光路の少なくとも一部と、その原稿面Ｆからの反射光の光路の少なくとも一部との間に、遮光板１９１を設けてもよい。これにより、照明光に含まれる拡散光等が反射光の光路に入って適正な画像読取が妨げられるのを抑制することができる。
また、本実施形態の画像読取装置としてのとしてのスキャナ部１５０は、その画像照明装置として上述したものを用いているので、高品質の画像読み取りが可能となる。
また、本実施形態の画像形成装置としての複写機は、その画像読取手段として上述したスキャナ部１５０を用いているので、高品質な複写画像を得ることができる。
【図面の簡単な説明】
【００５８】
【図１】実施形態に係る複写機の概略構成図である。
【図２】同複写機の内部構成の一部を拡大して示す部分拡大構成図である。
【図３】同複写機に搭載される４つのプロセスユニットからなるタンデム部の一部を示す部分拡大図である。
【図４】同複写機のスキャナ部を示す外観斜視図である。
【図５】同スキャナ部の移動読取部を斜め上方から示した斜視図である。
【図６】同キャナ部の移動読取部をその側方から示す拡大構成図である。
【図７】（ａ）は、同スキャナ部の光源部を副走査方向から見たときの説明図である。（ｂ）は、同光源部を主走査方向から見たときの説明図である。（ｃ）は、変形例１におけるスキャナ部の光源部を主走査方向から見たときの説明図である。
【図８】（ａ）は、集光レンズまたは照明レンズに使用可能なシリンダレンズアレイの斜視説明図である。（ｂ）は、副走査方向集束レンズの斜視説明図である。
【図９】変形例１における第１キャリッジをその側方から示す拡大構成図である。
【図１０】変形例２における第１キャリッジをその側方から示す拡大構成図である。
【符号の説明】
【００５９】
３Ｋ，３Ｙ，３Ｍ，３Ｃ  プロセスユニット
４Ｋ，４Ｙ，４Ｍ，４Ｃ  感光体
１０１  光源
１０１ａ  ＬＥＤ
１０１ｂ  回転放物面鏡
１０２  集光レンズ
１０２ａ  集光シリンダレンズ
１０３  照明レンズ
１０３ａ  照明シリンダレンズ
１０４，２０４  統合レンズ
１０５  副走査方向集束レンズ
１０６  反射ミラー
１５０  スキャナ部
１５１  固定読取部
１５２  移動読取部
１６２  第１キャリッジ
１６２ａ  第１照明光用ミラー
１６２ｂ  第２照明光用ミラー
１６２ｃ  第１反射光用ミラー
１６３  第２キャリッジ
１６３ａ  第２反射光用ミラー
１６３ｂ  第３反射光用ミラー
１９０  光源部
１９１  遮光板
２００  結像レンズ
２０６  リフレクタ
【図１】
2008312155.tif 000003
【図２】
2008312155.tif 000004
【図３】
2008312155.tif 000005
【図４】
2008312155.tif 000006
【図５】
2008312155.tif 000007
【図６】
2008312155.tif 000008
【図７】
2008312155.tif 000009
【図８】
2008312155.tif 000010
【図９】
2008312155.tif 000011
【図１０】
2008312155.tif 000012